(57)【要約】【課題】既築住宅の床暖房設置に好適な床暖房用床部材及び床暖房システムを提供する。【解決手段】温水シート１０の端末配管部１４と配管部材５Ａとを壁面Ｗ１近傍でエルボを用いて接続する。さらに、下地材上に配管部材５Ａを壁面Ｗ１に沿って壁面Ｗ２方向に転がし配管する。壁面Ｗ２近傍まで配管したら、さらに別々に分けられた４本のパイプ５Ｂと接続し、これを壁面Ｗ２に沿って貫通部１５位置まで配管する。さらに配管部材５Ｃと接続し、これを貫通部１５において壁面貫通させる。屋外に導き、配管部材５Ｃは通常の配管に接続され、最終的に熱源機（図示せず）に導かれる。配管終了後、フローリング施工を行う。この場合、壁面貫通する側の壁面（Ｗ２）に対して平行に配管する部分については、連絡配管収納溝を持たない通常の溝付床材１８を用いることができる。壁面Ｗ２に対して垂直方向の配管を含む部分については、連絡配管用床部材１を用いる。【選択図】図４
2006118812.tif 000002
【特許請求の範囲】
【請求項１】
温水シートと放熱パイプ収納溝付床部材を用いる床暖房システムに使用する連絡配管用床部材であって、
放熱パイプ収納溝に加え、放熱パイプ収納溝に対して直角方向に一又は複数の連絡配管収納溝を備えて成ることを特徴とする連絡配管用床部材。
【請求項２】
前記連絡配管収納溝が、雌実側または雄実側に寄せて設けられて成ることを特徴とする請求項１に記載の連絡配管用床部材。
【請求項３】
前記連絡配管収納溝に収納される連絡配管用配管部材であって、２本又は４本の温水パイプを一列に束ねてシュリンクラップして成ることを特徴とする連絡配管用配管部材。
【請求項４】
温水シートと放熱パイプ収納溝付床部材を用いた床暖房システムであって、温水シートの放熱パイプ端末部から壁面貫通部までの連絡配管部分中、貫通しない側の壁面に対して平行配管する部分に、請求項１又は２に記載の連絡配管用床部材と、請求項３に記載の連絡配管用配管部材と、を用いて成ることを特徴とする床暖房システム。
【発明の詳細な説明】
【技術分野】
【０００１】
本発明は床暖房用部材及び床暖房システムに係り、特に、既築住宅の床暖房設置に好適な床暖房用部材及び床暖房システムに関する。
【背景技術】
【０００２】
従来、温水等の熱媒循環を用いた床暖房システムにおいては、熱源機から温水マットに温水を供給するためには、床暖房を敷設する床に配管貫通口を穿設して温水配管を通す施工法が一般的である。この工法は新設の場合であれば特に問題はないが、既築住宅の場合には床に貫通口を穿設することが困難なことが多く、適用が難しかった。この問題を解消するために、壁までの温水配管と敷設する床暖房パネル間の連絡配管用配管部材を用いた技術が提案されている（特許文献１参照）。このような床暖房システム１００は、図７に示すように連絡用床暖房パネル１０１と同じ厚さ、かつ、配管１０３を内蔵した搬送パネル１０２を用いるものである。この技術によれば、既築住宅２階についても壁抜き工法により床暖房施工することが可能となるが、搬送パネルの高さ分、床高が高くなるという問題がある。
【０００３】
一方、床高さを抑制可能とするシステムとして、温水シート上面に溝付フローリング材を載置する床暖房システムが公知である。温水シート方式床暖房システム１１０は、図８に示すように放熱パイプ１１３を添着した均熱シート１１５と、収納溝１１４により均熱シート１１５上部に放熱パイプ１１３を収納する合板部１１２と、表面仕上材１１１により構成されている。このシステムによれば、総厚みが通常のフローリングと同一になり、バリアフリーを実現できるという特徴がある。
【特許文献１】特開２００１−３０４５９２公報
【発明の開示】
【発明が解決しようとする課題】
【０００４】
しかしながら、温水シート方式床暖房システムにおいては、温水シート配管端末部から直接床下に配管する工法のみが実用化されているのみであり、例えば既築木造住宅に床暖房施工する技術は開示されていない。
【０００５】
本発明は、このような問題を解決するためのものであって、既築木造住宅の床上配管に適した床暖房用床部材及び床暖房システムを提供するものである。
【課題を解決するための手段】
【０００６】
本発明は以下の内容をその要旨とする。すなわち、
（１）温水シートと放熱パイプ収納溝付床部材を用いる床暖房システムに使用する連絡配管用床部材であって、放熱パイプ収納溝に加え、放熱パイプ収納溝に対して直角方向に一又は複数の連絡配管収納溝を備えて成ることを特徴とする連絡配管用床部材。
【０００７】
（２）前記連絡配管収納溝が、雌実側または雄実側に寄せて設けられて成ることを特徴とする（１）に記載の連絡配管用床部材。
（３）前記連絡配管収納溝に収納される連絡配管用配管部材であって、２本又は４本の温水パイプを一列に束ねてシュリンクラップして成ることを特徴とする連絡配管用配管部材。
【０００８】
（４）温水シートと放熱パイプ収納溝付床部材を用いた床暖房システムであって、温水シートの放熱パイプ端末部から壁面貫通部までの連絡配管部分中、貫通しない側の壁面に対して平行配管する部分に、上記連絡配管用床部材と、上記連絡配管用配管部材と、を用いて成ることを特徴とする床暖房システム。
【発明の効果】
【０００９】
本発明によれば、温水シート部分だけでなく連絡配管部分についてもフローリング内部に収納可能となるため、仕上り高さを通常のフローリングと同一にすることができ、バリアフリー化に資するという効果がある。
【００１０】
また、既築住宅２階などに壁抜き工法により施工できるため、床下に配管を抜けない場合のリフォームにも適用可能となる。
また、本発明の連絡配管用配管部材は、コイル状に巻いて使用時に必要長さ分切って使用することができるため、保管、運搬の容易化及び使用の便宜に資する。
【発明を実施するための最良の形態】
【００１１】
以下、本発明の実施形態について図１乃至６を参照してさらに詳細に説明する。重複を避けるため、各図において同一構成には同一符号を用いて示している。なお、本発明の範囲は特許請求の範囲記載のものであって、以下の実施形態に限定されないことはいうまでもない。
【００１２】
（連絡配管用床部材）
図１は、本発明の一実施形態に係る連絡配管用床部材１を示す図である。同図（ａ）は床部材１を下面側から見た図、同図（ｂ）はＯ-Ｏ’断面図、同図（ｃ）は側面図を示している。床部材１は、合板部１ａ上面に木目模様の表面仕上材１ｂを貼付した構成を備えている。合板部１ａの裏面側には、複数の放熱パイプ収納溝３と、これらと直交する２本の連絡配管収納溝２とが刻まれている。同図（ａ）斜線部が収納溝部分を表している。床部材１の長辺の端部には、上側に雌実４ｂ、下側に雄実４ａが設けられている。床部材１の各部寸法は、施工条件等に合わせて任意に選択できるが、一例として、長辺方向が１８１８ｍｍ×短辺方向が３０３ｍｍ、厚さ１２ｍｍとすることができる。また、放熱パイプ収納溝３のの寸法は幅１５ｍｍ×深さ７．８ｍｍ、連絡配管収納溝２については幅４０ｍｍ×深さ７．８ｍｍとすることができる。
【００１３】
二つの連絡配管収納溝２の位置は、中心線Ｏ-Ｏ’に対して上側に偏して（雌実４ｂ側に寄った位置に）設けられている。このことによる作用については後述する。
なお、本実施形態では連絡配管収納溝が２組の例を示したが、これに限らず１組であってもよい。
（連絡配管）
図２は、本発明の一実施形態に係る連絡配管用配管部材５の構成を示す図である。配管部材５は、４本の架橋ポリエチレン管５ａ乃至５ｄを一列に配し、ポリエチレン系、ポリ塩化ビニリデン系、ポリエステル系等の樹脂ラップ材５ｄをシュリンクラッピングすることにより一体に形成した構造を有している。配管部材５の長さは任意に選択することができ、例えばコイル状に巻いて使用時に必要長さ分切って使用することもできる。配管部材５の各配管の寸法は、後述する温水シート１０の放熱パイプ１１と同一寸法に構成され、また床上に転がし配管したときに連絡配管収納溝２に収納可能な寸法に構成されている。
【００１４】
（温水シートと連絡配管の配管）
図３は、温水シート１０と連絡配管用配管部材５の配管方法の一例を示す図である。温水シート１０は、アルミ箔製シート部材１２上に放熱パイプ１１を蛇行配置し、表面全体を熱可塑性樹脂（図示せず）でカバーコーティングして構成されている。
【００１５】
放熱パイプ１１は、２系統の配管１１ａ、１１ｂにより構成されている。放熱パイプ１１の端末部１４は、配管１１ａについては往側１４ａ、戻側１４ｂにより構成され、一方、配管１１ｂについては往側１４ｃ、戻側１４ｄにより構成されている。端末部１４の各配管はそれぞれエルボ１５を介して、直角方向に曲げられて配管部材５の各配管５ａ乃至５ｄに接続されている。
【００１６】
（連絡配管施工）
次に、図４を参照して連絡配管用床部材１、連絡配管用配管部材５を用いた温水シート方式床暖房システムの施工例について説明する。なお、本施工例は、既設戸建住宅２階への施工を想定している。
【００１７】
最初に、温水シート１０を下地材（図示せず）上に敷設する。次に、温水シート１０の端末配管部１４と連絡配管用配管部材５Ａとを壁面Ｗ１近傍でエルボを用いて接続する。さらに、下地材上に配管部材５Ａを壁面Ｗ１に沿って壁面Ｗ２方向に転がし配管する。壁面Ｗ２近傍まで配管したら、さらに別々に分けられた４本のパイプ５Ｂと接続し、これを壁面Ｗ２に沿って貫通部１５位置まで配管する。さらに連絡配管用配管部材５Ｃと接続し、これを貫通部１５において壁面貫通させる。配管部材５Ｃは、さらに屋外で通常の温水配管（図示せず）に接続され、最終的に熱源機（図示せず）に導かれる。なお、同図では、配管部材５Ａ乃至５Ｃ及び端末配管部１４は太線で示しているが、実際にはそれぞれ４本の温水配管により構成されている。また、同図では連絡配管は１系統のみ示しているが２系統配管することも可能である。
【００１８】
配管終了後、フローリング施工を行う。この場合、同図において、貫通壁面（Ｗ２）に対して平行に配管部材５を配管する部分については、連絡配管収納溝を持たない通常の溝付床材１８を用いることもできる（同図において１８ａ、１８ｂ、１８ｃ）。壁面Ｗ２に対して垂直方向の配管を含む部分については、連絡配管用床部材１を用いる必要がある。同図において、斜線で示した床部材がこれに該当する。
【００１９】
さらに、連絡配管用床部材１の載置方法の詳細について説明する。図５を参照して、連絡配管用床部材１に隣接する通常の床部材１８を下地材１９に固定する。固定は釘８を雄実４ａから下地材１９に打ち込むことにより行う。次いで、連絡配管用床部材１を転がし配管されている連絡配管用配管部材５上に載置し、雌実４ｂを雄実４ａに嵌合させる。連絡配管用床部材１が壁面に接していない場合には、載置後、床部材１８と同様にして連絡配管用床部材１を下地部１９に固定する。
【００２０】
連絡配管５を壁際に配管したときには、連絡配管用床部材１をそのままでは載置できない場合が生じうる。図６は、このような場合の施工方法を示す図である。すなわち、隣接する床部材１８端面から壁面Ｗまでの距離Ｌ１が連絡配管用床部材１の幅Ｌより短いときは、斜線部を切断して、床部材１の寸法を壁面Ｗまでの距離に合わせて載置する。載置後、床部材１を釘８で下地材１９に固定し、さらに壁面部を巾木９により化粧固定する。このように、連絡配管用床部材１は、連絡配管収納溝２が雌実側に寄せて設けられているため、切断代を多くとることが可能となり、床暖房の設置自由度が増す。
【００２１】
なお、本実施形態ではフローリングの貼り終い側に連絡配管を設置する形態としたが、逆にフローリングの貼り始め側に連絡配管を設置することもできる。この場合は、連絡配管収納溝を雄実側に寄った位置に設けることにより、上記と同様の効果が得られる。
また、連絡配管用床部材１は、放熱パイプ収納溝に加えて連絡配管用溝が設けられているため、通常の床部材１８と比較してフローリングとしての強度が落ちる。従って、歩行衝撃等による発生する不具合を回避するためには、なるべく壁際に近く設置することが望ましく、このような施工方法が有効である。また、頻繁な歩行衝撃が予想される箇所に連絡配管用床部材１を用いる場合には、連絡配管収納溝部分に充填物で充填し、強度を増すこともできる。
【産業上の利用可能性】
【００２２】
本発明は、温水シートを用いる温水式床暖房システムに広く適用可能である。
【図面の簡単な説明】
【００２３】
【図１】本発明の一実施形態に係る連絡配管用床部材を示す図である。
【図２】本発明の一実施形態に係る連絡配管用配管部材の構成を示す図である。
【図３】温水シートと連絡配管用配管部材の配管方法の一例を示す図である。
【図４】連絡配管用床部材、配管部材を用いた温水シート方式床暖房システムの施工例を示す図である。
【図５】連絡配管用床部材の載置方法の詳細を示す図である。
【図６】隣接する床部材端面から壁面までの距離が、連絡配管用床部材の幅より短いときの施工方法を示す図である。
【図７】従来の、温水配管と床暖房パネル間の連絡配管用配管部材を用いた床暖房システムを示す図である。
【図８】従来の温水シートと溝付フローリング材を用いた床暖房システムを示す図である。
【符号の説明】
【００２４】
１        連絡配管用床部材
２        連絡配管収納溝
３        放熱パイプ収納溝
４ａ      雄実
４ｂ      雌実
５        連絡配管用配管部材
５ｄ      樹脂ラップ材
１０      温水シート
１１      放熱パイプ
【図１】
2006118812.tif 000003
【図２】
2006118812.tif 000004
【図３】
2006118812.tif 000005
【図４】
2006118812.tif 000006
【図５】
2006118812.tif 000007
【図６】
2006118812.tif 000008
【図７】
2006118812.tif 000009
【図８】
2006118812.tif 000010